(57)【要約】【課題】インプラント体を生体組織の所望の位置により強固に固定することが可能となる。【解決手段】歯科用インプラント体１０の側面において、生体組織内に埋設される埋設部１６に侵入溝２０が設けられている。この侵入穴２０は、底面の面積が最も広く、開口の面積は底面の面積よりも狭く形成されている。このため、侵入溝２０の内部に生体組織が新生すると、生体組織と侵入溝２０との間の癒合のみでなく、新生した生体組織の形状によっても、歯科用インプラント体１０が固定されることになる。こうすることにより、歯科用インプラント体１０をより強固に生体組織に固定することが可能になる。【選択図】図２
2011015729.tif 000002
【特許請求の範囲】
【請求項１】
生体組織内に埋設される埋設部と、
前記埋設部の側面に、該埋設部の内部方向に向かって設けられた組織被侵入領域と、
を備え、
前記組織被侵入領域は、前記埋設部の表面に位置する開口の面積よりも広い面積の底面を有する、
歯科用インプラント体。
【請求項２】
前記底面は、少なくとも２つの凹部と少なくとも１つの凸部とを有する、
請求項１に記載の歯科用インプラント体。
【請求項３】
前記組織被侵入領域は、螺旋状に連続して設けられている、
請求項１又は２に記載の歯科用インプラント体。
【請求項４】
請求項１〜３のいずれか１項に記載の歯科用インプラント体において、
前記開口と前記底面との間に位置し、該開口の面積及び該底面の面積のいずれの面積よりも狭い断面積を有する中間部と、
を備えた、
歯科用インプラント体。
【請求項５】
前記底面は、前記開口から前記埋設部の内部に向かって斜め上方向に形成される上方凹部と、該開口から該埋設部の内部に向かって斜め下方向に形成される下方凹部と、を有する、
請求項１〜４のいずれか１項に記載の歯科用インプラント体。
【請求項６】
請求項５に記載の歯科用インプラント体であって、
前記上方凹部は、前記埋設部に垂直な面に対して０度未満であってマイナス９０度より大きな角度で削出部材を当接させて形成され、
前記下方凹部は、前記埋設部に垂直な面に対して０度より大きく９０度未満の角度で削出部材を当接させて形成される、
歯科用インプラント体。
【請求項７】
請求項１〜６のいずれか１項に記載の歯科用インプラント体であって、
前記組織被侵入領域の下部に設けられた螺旋状の溝である螺旋領域と、
を備えた、
歯科用インプラント体。
【請求項８】
前記埋設部は、チタン又はチタン合金を含む、
請求項１〜７のいずれか１項に記載の歯科用インプラント体。
【発明の詳細な説明】
【技術分野】
【０００１】
本発明は、歯科用インプラント体に関する。
【背景技術】
【０００２】
従来、施術時の手間を省き、安定した植立が可能で、耐久性のある歯科用インプラント体が知られている。例えば、特許文献１には、生体埋入部に累合部を備え、累合部の両側に、長軸方向に平行なカット面を形成し、この累合部が上部方向に沿って、その波高が小さくなるようにした歯科用インプラントが記載されている。
【先行技術文献】
【特許文献】
【０００３】
【特許文献１】特開２００７−１４３７７２号公報
【発明の概要】
【発明が解決しようとする課題】
【０００４】
しかしながら、こうした歯科用インプラントでは、長軸方向に平行なカット面が表面に対して垂直に設けられているため、歯科用インプラントと生体組織（例えば、歯槽骨）との間の癒合によってのみ固定される。このため、歯科用インプラントと生体組織とが癒合するまでは歯科用インプラントを十分に固定することができないという課題があった。また、歯科用インプラントと生体組織とが癒合した後であっても、インプラントを行う場所によっては十分な結合力が得られないため、インプラント治療を行うことができない場合があるという課題があった。
【０００５】
本発明は、このような課題に鑑みなされたものであり、生体組織内に埋設された後に、インプラント体と生体組織との癒合による固定だけでなく、インプラント体と生体組織との接触面の形状を利用することで、インプラント体と生体組織とをより強く固定することができる歯科用インプラント体を提供することを主目的とする。
【課題を解決するための手段】
【０００６】
本発明は、上述の主目的を達成するために以下の手段を採った。
【０００７】
本発明の歯科用インプラント体は、
生体内に埋設される生体埋設部と、
前記生体埋設部の側面に、該埋設部の内部方向に設けられた組織被侵入領域と、
を備え、
前記組織被侵入領域は、前記埋設部の表面に位置する開口の面積よりも広い面積の底面を有する、
歯科用インプラント体である。
【０００８】
この歯科用インプラント体は、生体組織内に埋設される埋設部に、底面の面積よりも開口の面積が狭い組織被侵入領域を備えているため、生体組織内に埋設され、生体組織が組織被侵入領域内で組織被侵入領域の形状に即して新生することで、開口付近の面積よりも底面付近の面積が広い生体組織が新生される。このため、生体組織と歯科用インプラント体との結合力に加えて、新生した生体組織の形状によっても歯科用インプラント体が固定されることになるため、より強固に歯科用インプラント体を固定することができるという効果が得られる。
【０００９】
本発明の歯科用インプラント体において、前記底面は、少なくとも２つの凹部と少なくとも１つの凸部とを有していてもよい。こうすれば、底面に凹凸が無い場合と比較して、底面の表面積が増大するため、生体組織と底面とが接する面積が増大する。つまり、生体組織と組織被侵入領域との癒合性が向上し、歯科用インプラント体をより強固に固定するという効果が得られる。
【００１０】
本発明の歯科用インプラント体において、前記組織被侵入領域は、螺旋状に連続して設けられていてもよい。こうすれば、組織被侵入領域を埋設部に沿って広い領域として設けることができるため、より組織被侵入領域の表面積を増大することができる。つまり、生体組織と組織被侵入領域との癒合性が向上し、歯科用インプラント体をより強固に固定することができるという効果が得られる。
【００１１】
本発明の歯科用インプラント体は、前記開口と前記底面との間に位置し、該開口の面積及び該底面の面積のいずれの面積よりも狭い断面積を有する中間部と、を備えていてもよい。こうすれば、生体組織が新生した際、最も断面積の狭い領域が開口と底面との間に存在することになるため、生体組織が新生した後には、生体組織と歯科用インプラント体との癒合の有無にかかわらず、新生した生体組織の立体的形状により、歯科用インプラント体を固定することができるという効果が得られる。
【００１２】
本発明の歯科用インプラント体において、前記底面は、前記開口から前記埋設部の内部に向かって斜め上方向に形成される上方凹部と、該開口から該埋設部の内部に向かって斜め下方向に形成される下方凹部と、を有するものであってもよい。上方凹部及び下方凹部を有していない場合と比較して、より底面の表面積を広くすることができるため、底面と新生した生体組織とが接触する面積が増大し、歯科用インプラント体を強固に固定することができるという効果が得られる。この態様を採用した本発明の歯科用インプラント体において、前記上方凹部は、前記埋設部に垂直な面に対して０度未満であってマイナス９０度より大きな角度で削出部材を当接させて形成され、前記下方凹部は、前記埋設部に垂直な面に対して０度より大きく９０度未満の角度で削出部材を当接させて形成されるものとしてもよい。いずれの場合であっても、公知の螺旋溝の削り出し方法を用いて表面積の広い組織被侵入領域を形成することができるため、新規の手法を開発する労力を低減しつつ、歯科用インプラント体をより強固に固定することができるという効果が得られる。
【００１３】
本発明の歯科用インプラント体は、前記組織侵入領域の下部に設けられた螺旋状の溝である螺旋領域と、を備えていてもよい。こうすれば、歯科用インプラント体を生体組織内に埋設する際、歯科用インプラント体を回転させながら埋設することで、螺旋状の溝が無い場合と比較して、より小さな力で歯科用インプラント体を埋設することができるという効果が得られる。
【００１４】
本発明の歯科用インプラント体において、前記埋設部は、チタン又はチタン合金を含んでいてもよい。チタン又はチタン合金は硬度が高く、生体親和性が高い素材であるため、この素材を埋設部に用いると、生体親和性を向上させながらも、高い強度を得ることができる。言い換えると、歯科用インプラント体をより強固に所望の位置に固定するという効果を得つつ、十分な強度のインプラント体を作製できるという効果が得られる。
【図面の簡単な説明】
【００１５】
【図１】図１は、歯科用インプラント体１０の構成の概略を示す斜視図である。
【図２】図２は、歯科用インプラント体１０の構成の概略を示す断面図である。
【図３】図３は、埋設部１５の断面の一部を拡大した拡大図である。
【図４】図４は、侵入溝２０の形成方法を説明するための説明図である。
【発明を実施するための形態】
【００１６】
ここで、上記簡単に説明した図面に基づいて、本発明を実施するための形態を説明するにあたり、本実施の形態の構成要素と本発明の構成要素との対応関係を明らかにする。本実施の形態の歯科用インプラント体１０が歯科用インプラント体に相当し、埋設部１６が埋設部に相当し、底面部２４が底面に相当し、中間部２３が中間部に相当し、開口部２２が開口に相当し、上方凹部２５が上方凹部に相当し、下方凹部２７が下方凹部に相当し、凸部２６が凸部に相当し、侵入溝２０が組織被侵入領域に相当し、螺旋溝１８が螺旋領域に相当する。なお、この歯科用インプラント体１０は、公知の歯科用インプラント施術法に従ってインプラント体を植立する際に使用可能である。
【００１７】
次に、図１及び図２を用いて、本発明の歯科用インプラント体の一例である、歯科用インプラント体１０の構成を詳しく説明する。ここで、図１は、歯科用インプラント体１０の構成の概略を示す斜視図であり、図２は、歯科用インプラント体１０の構成の概略を示す断面図である。歯科用インプラント体１０は、図１に示すように、義歯を接続する支持部１２と、生体組織（例えば、歯槽骨）の内部に挿入される埋設部１６と、支持部１２と埋設部１６とを接続する支持台部１４と、からなる。この歯科用インプラント体１０は、全長が約１２ミリメートル、直径が約３．３ミリメートルの略円柱形状であり、約１０ミリメートルの埋設部が埋設されることにより、歯科用インプラント治療に用いることができる。
【００１８】
支持部１２は、チタン製の略円柱形状であり、歯科用インプラント体１０の上部に備えられている。この支持部１２は、インプラント体埋設後に接合させる義歯を、ネジ式や嵌合式などの公知の手法により固定する。
【００１９】
支持台１４は、チタン製の略円柱形状であり、支持部１２と埋設部１６との間に備えられている。この支持台１４は、義歯を載置した際に義歯とインプラント体との一体的・連続的接合を実現するためのものであり、義歯と歯科用インプラント体１０との隙間を確実に封止し、口腔内での衛生環境を保つ。また、義歯を安定して保持し、歯肉部分に埋もれるなどして外観上は表面に現れないので、美観を損ねることもない。
【００２０】
埋設部１６は、チタン製の略円柱形状であり、歯科用インプラント体１０の下部に備えられている。この埋設部１６は、上部に侵入溝２０が、下部に螺旋溝１８が、それぞれ設けられている。下部に螺旋溝１８が設けられているため、歯科用インプラント体１０を回転させながら生体組織に埋設することで、螺旋溝１８が無い場合と比較して、容易に埋設することができる。また、埋設部１６の表面に凸部を有していないため、生体組織内に歯科用インプラント体１０を埋設する際に、表面の形状によって生体組織にダメージを与えることを未然に防ぐことができる。
【００２１】
ここで、侵入溝２０について、図３を用いて更に詳しく説明する。ここで、図３は、埋設部１６の断面の一部を拡大した拡大図であり、歯科用インプラント体１０における埋設部１６の一部を拡大した断面図であり、侵入溝２０の形状について詳しく説明するための図である。侵入溝２０は、図３に示すように、歯科用インプラント体１０の表面付近の開口部２２と、歯科用インプラント体１０の内面側に位置する底面部２４と、開口部２２と底面部２４との間に位置する中間部２３と、を有する螺旋状に連続する溝である（図１参照）。このとき、開口部２２の面積と中間部２３の断面積と底面部２４の面積とを比較すると、底面部２４の面積が最も広く、開口部２２の面積、中間部２３の表面積の順で狭くなっている。このため、歯科用インプラント体１０を埋設し、侵入溝２０の内部に生体組織が新生した後には、新生した生体組織が底面部２４付近で最も広くなり、ついで、開口部２２付近、中間部２３付近の順で狭くなる。このような形状に生体組織が新生することにより、歯科用インプラント体１０と生体組織（例えば、歯槽骨）とが完全に癒合していない場合であっても、歯科用インプラント体１０を所望の位置に固定することができる。また、歯科用インプラント体１０と生体組織とが癒合した後には、より強固に歯科用インプラント体１０を固定することができる。
【００２２】
底面部２４は、図３に示すように、上方凹部２５及び下方凹部２７の２個所の凹部と、凸部２６とから構成されている。このため、底面部２４が略平面状である場合と比較して埋設部１６の表面積を増大することができる。つまり、生体組織と侵入溝２０とが接する面積が広くなり、生体組織と埋設部１６との癒合性が向上し、歯科用インプラント体１０をより強固に固定することができる。
【００２３】
次に、侵入溝２０を形成する方法について、図４を用いて更に詳しく説明する。ここで、図４は、侵入溝２０の形成方法を説明するための説明図であり、侵入溝２０の一部を含む埋設部１６の一部を拡大したものである。また、図４（Ａ）は、埋設部１６の表面に下方凹部２７を形成した状態を示しており、図４（Ｂ）は、下方凹部２７に加えて上方凹部を形成して侵入溝２０を形成した状態を示している。侵入溝２０を形成する際には、図４（Ａ）に示すように、下方凹部２７を形成した後に、上方凹部２５を形成する。こうすると、図４（Ｂ）に示すように、上方凹部２５と下方凹部２７の２個所の凹部と凸部２６とを有する底面部２４が形成される。下方凹部２７を形成する際には、図４（Ａ）に示すように、歯科用インプラント体１０に対して垂直な面を基準に略３０度の角度で削出具を当接し、歯科用インプラント体１０を回転させることで、螺旋状の下方凹部２７を形成する。次に、下方凹部２７と交差する位置であって、歯科用インプラント体１０に対して垂直な面を基準に略マイナス３０度の角度で削出具を当接し、歯科用インプラント体１０を回転させることで、螺旋状の上方凹部２５を形成する。このように、削出具を２回歯科用インプラント体１０に当接することで、既存の螺旋溝を作製する機器・手法を用いて侵入溝２０を形成することができる。なお、ここで削出具は、例えば、ダイヤモンドドリルなど公知の削出具を使用することができる。
【００２４】
以上詳述した本実施の形態の歯科用インプラント体１０によれば、歯科用インプラント体１０は、側面に侵入溝２０を有する埋設部１６が設けられており、この埋設部１６は、図３に示すように、開口部２２の面積よりも底面部２４の面積が広く形成されている。そして、歯科用インプラント体１０が生体組織内に埋設され、生体組織が侵入溝２０の内部に新生した際には、侵入溝２０の形状に即して新生することになる。このため、生体組織と歯科用インプラント体１０との結合力に加えて、新生した生体組織の形状によっても歯科用インプラント体１０が固定されることになるため、より強固に歯科用インプラント体１０を固定することができる。
【００２５】
また、底面部２４には、上方凹部２５及び下方凹部２７の２個所の凹部と、凸部２６とを有しているため、底面部に凹凸が無い場合と比較して、底面部２４の表面積が増大するため、生体組織と底面部２４とが接する面積が増大する。したがって、埋設部１６と生体組織との癒合性が向上し、歯科用インプラント体１０を生体組織により強固に固定することができる。
【００２６】
更に、侵入溝２０は、螺旋状に連続して設けられているため、螺旋状に連続していない場合と比較して、より侵入溝２０の表面積が増大し、生体組織と侵入溝２０とが接する面積が増大する。したがって、歯科用インプラント体１０と生体組織との癒合性が向上し、歯科用インプラント体１０と生体組織とをより強固に固定することができる。
【００２７】
更にまた、侵入溝２０には、開口部２２と底面部２４との間に、開口部２２の面積及び底面部２４の面積のいずれの面積よりも狭い断面積を有する中間部２３を有しているため、侵入溝２０の内部に生体組織が新生した後には、生体組織と埋設部１６との癒合の有無にかかわらず、新生した生体組織の立体的形状により、歯科用インプラント体１０を生体組織により強固に固定することができる。
【００２８】
また、侵入溝２０は、開口部２２から埋設部１６の内部に向かって斜め上方向に形成される上方凹部２５と、開口部２２から埋設部１６の内部に向かって斜め下方向に形成される下方凹部２７とを有しているため、これらの凹部を有していない場合と比較して、より底面部２４の表面積を広くすることができる。したがって、侵入溝２０の表面と侵入溝２０内で新生した生体組織とが接触する面積が増大し、歯科用インプラント体１０をより強固に固定することができる。
【００２９】
そしてまた、上方凹部２５は、埋設部１６に垂直な面に対して０度未満であってマイナス９０度より大きな角度で削出部材を当接させることで形成し、下方凹部２７は、上方凹部２５と交差する位置であって、埋設部１６に垂直な面に対して０度より大きく９０度未満の角度で削出部材を当接させることで形成しているため、公知の螺旋溝の削り出し方法に近い手法で表面積の広い侵入溝２０を形成することができる。したがって、新規の手法を開発する労力を低減しつつ、歯科用インプラント体１０と生体組織とを強固に固定することができる。
【００３０】
そして更に、埋設部１６は、下部に螺旋溝１８を備えているため、生体組織（例えば、歯槽骨）に歯科用インプラント体１０を埋設する際、螺旋状の溝に沿って回転させることで、螺旋状の溝が無い場合と比較して、より小さな力で歯科用インプラント体１０を埋設することができる。
【００３１】
そして更にまた、インプラント体１０は、硬度が高く生体親和性の高いチタン製であるため、生体親和性を向上させると共に、侵入溝２０を形成しても、十分な強度を得ることができる。したがって、歯科用インプラント体１０と生体組織とを強固に固定することができる。
【００３２】
なお、本発明は上述した実施形態に何ら限定されることはなく、本発明の技術的範囲に属する限り種々の態様で実施し得ることはいうまでもない。特に、実施の形態中に記載した歯科用インプラント体１０や侵入溝２０等のサイズは、歯科用インプラント体１０のサイズの一例を示したものであり、各々のインプラント治療を行う際に最適なサイズを、適宜任意のサイズとして選択することができる。
【００３３】
例えば、上述した実施の形態では、支持部１２が略円柱状であるものとしたが、略多角柱状、円錐台状、楕円柱状など、歯科用インプラント体１０の形状に合わせて、適宜選択することができる。これらの場合であっても、上述した実施の形態と同様の効果を得ることができる。
【００３４】
上述した実施の形態では、歯科用インプラント体１０の全長が約１２ミリメートル、直径が約３．３ミリメートルの略円柱形状であり、約１０ミリメートルの埋設部１６が埋設されることとしたが、これに限定されるものではなく、歯科用インプラント体１０の全長は、例えば、約２０ミリメートル〜約７ミリメートル程度であっても良く、直径は、約２．５ミリメートル〜約６．０ミリメートル程度であっても良く、埋設部１６は、約１８ミリメートル〜約５ミリメートル程度であっても良い。歯科用インプラント体１０のサイズは、歯科用インプラント治療を行う患者の状況に応じて、適宜所望のサイズを選択することができる。
【００３５】
上述した実施の形態では、侵入溝２０と螺旋溝１８とを形成するものとしたが、侵入溝２０と螺旋溝１８とは、連続する溝として形成されていても良い。こうすれば、上述した実施の形態と同様の効果が得られながら、侵入溝２０と螺旋溝１８とが連続しない場合と比較して、溝を形成する労力を低減することができる。
【００３６】
上述した実施の形態では、侵入溝２０を形成する際、下方凹部２７を形成した後に上方凹部２５を形成するものとしたが、凹部を形成する順番はこれに限定されるものではなく、上方凹部２５を形成した後に下方凹部２７を形成しても良いし、侵入溝２０と略同型の削出具を用いて、一度に形成しても良い。また、押し出し成型が可能な材料を用いる場合には、押し出し成型等を用いても良い。これらの場合であっても、上述した実施の形態と同様の効果を得ることができる。
【００３７】
上述した実施の形態では、上方凹部２５を形成する際、上方に略３０度の角度で削出具を当接するものとしたが、略３０度に限定されるものではなく、略１５度、略４５度、略６０度など、歯科用インプラント体１０の使用目的に合わせて、任意の角度を適宜選択することができる。また、削出具を当接した後に、歯科用インプラント体１０を回転させるものとしたが、歯科用インプラント体１０を固定し削出具を回転させても良い。いずれの場合であっても、上述した実施の形態と同様の効果を得ることができる。なお、下方凹部２７を形成する場合についても同様であるため、ここでは説明を省略する。
【００３８】
上述した実施の形態では、チタン製であるものとしたが、材質はチタンに限定されるものではなく、生体組織と親和性を有する素材であれば、プラチナやジルコリウム、ハフニウム、ニッケル等であっても良いし、これらを１種又は複数種類含む合金であっても良い。また、歯科用インプラント体１０の全体がこれらを含む素材であっても良いし、歯科用インプラント体１０の表面又は埋設部１６の表面のみがこれらを含む素材であっても良い。いずれの場合であっても上述した実施の形態と同様の効果を得ることができる。
【００３９】
上述した実施の形態では、表面に何ら処理を施さないものとしたが、ハイドリキシアパタイトを用いた被覆処理や、フッ素コーティング処理を施しても良い。こうすれば、生体親和性を更に向上させることができる。
【００４０】
上述した実施の形態では、支持台部１４を設けるものとしたが、支持台部１４は無くても良いし、支持部１２と同一のものとしても良い。これら場合も、上述した実施の形態と同様の効果を得ることができる。
【産業上の利用可能性】
【００４１】
上述した実施の形態で示すように、インプラント分野、特に歯科用インプラントを行う際のインプラント体として利用することができる。
【符号の説明】
【００４２】
１０  歯科用インプラント体、１２  支持部、１４  支持台部、１６  埋設部、１８  螺旋溝、２０  侵入溝、２２  開口部、２３  中間部、２４  底面部、２５  上方凹部、２６  凸部、２７  下方凹部。
【図１】
2011015729.tif 000003
【図２】
2011015729.tif 000004
【図３】
2011015729.tif 000005
【図４】
2011015729.tif 000006